(57)【要約】【課題】履物の発達により踵に重心をかけたまま足指を余り使わずに歩ける履物が多くなっているが歩行時重心移動をして足指に力を入れて地面を蹴るという本来の歩き方をするために必要な足床筋力の衰えを回復し正しい姿勢で歩くあおり歩行を促し、スポーツに於ける足部の基礎筋力強化ができる履物の形状を問題にした。【解決手段】履物の台部、中底、中敷きの１つ以上に、各足指の指節間関節から中足指節関節（足指の付け根）に沿って高さ１５ｍｍ以上の段差を設け、かつ段差面を垂直から任意の角度を設け、更に段差上部を面取りした。【選択図】図１
2007061563.tif 000002
【特許請求の範囲】
【請求項１】
履物の台部、中底、中敷きの１つ以上に、各足指の指節間関節から中足指節関節（足指の付け根）の間を各足指付け根に沿って高さ１５ｍｍ以上の段差を設け、かつ段差面を垂直から任意の角度を設け、更に段差上部を面取りしたことを特徴とする履物。
【請求項２】
請求項１記載の履物において、足裏があたる台部、中底、中敷きの１つ以上に足裏の特定部位の土踏まずの箇所を足形にあわせて弧状に隆起させ、かつ特定部位踵の箇所は足形にあわせて窪んだ形状にしたことを特徴とする履物。
【請求項３】
請求項１における履物の台部、中底、中敷きの１つ以上に、履物先端から段差までの空間部分に履物使用時には段差を形成できる弾性体材料を設けたことを特徴とする履物。
【発明の詳細な説明】
【技術分野】
【０００１】本発明は体重移動を容易にして足部の各筋肉を強化する履物に関する。
【背景技術】
【０００２】従来の足筋力強化を目的とした履物には段差と履物底部の先端部削除を施したものがある（例えば特許文献１参照）。【０００３】しかし、この履物の段差は深さは１ｍｍから１２ｍｍ好ましくは３ｍｍから８ｍｍと段差が浅いため足腹が足床にすぐ当たり足指の屈折運動が小さくなる、よって足指筋力の強化で重要な足筋の伸び縮みの運動も小さいため足筋力の強化の成果は低くなり、かつ歩行時の体重移動も小さく歩行能力の向上も十分達成出来ないと思われる。また浅くても段差があるために使用時足裏が履物の先端側に移動して足指と段差の位置にずれが生じ、それを防止する機能がなく、履物が下駄、ぞうり等は鼻緒がその役目をするが、しばらく使用すると鼻緒にゆるみを生じ効果がなくなる。
【特許文献１】特開２０００−４９０２号公報。
【発明の開示】
【発明が解決しようとする課題】
【０００４】そこで段差が浅くては足指の屈折運動が小さくなり、足指筋力の強化で重要な足筋の伸び縮みの運動も小さいため足筋力の強化作用が解決されないことになる。【０００５】歩行時の体重移動も段差が低いため足腹が足床に当たり十分な体重移動の動作は達成できない問題の解決が求められていた。【０００６】浅くても段差があるために使用時足裏が履物の先端側に移動して足指と段差の位置にずれが生じる問題の解決が求められていた。
【課題を解決するための手段】
【０００７】履物の台部、中底、中敷きの１つ以上に、各足指の指節間関節から中足指節関節（足指の付け根）の間を各足指付け根に沿って高さ１５ｍｍ以上の段差を設け、かつ段差面を垂直から任意の角度を設け、更に段差上部を面取りしたことを特徴とする履物。【０００８】上記課題を解決するために各足指の指節間関節図１の１５及び図３の１５から中足指節関節（足指の付け根）図１の１及び図３の１の間に履物の台部図１の２、中底図１の２、１つ以上にかつ中敷き図１２にあっては、切断して削除する位置図１２の１３を図２の５の段差を各足指付け根図４の６の如く足指に沿って１５ｍｍ以上の高さと段差面図１の４，図２の４及び図３の４を段差上部図２の３及び図３の３より垂直から任意の角度１度から９０度好ましくは７５度から８５度を設け、（９１度以上は足指が屈折しにくいから効果がない）さらに段差上部図２の３及び図３の３を面取りをする。【０００９】請求項１記載の履物において、足裏があたる台部、中底、中敷きの１つ以上に足裏の特定部位の土踏まずの箇所を足形にあわせて弧状に隆起させ、かつ特定部位踵の箇所は足形にあわせて窪んだ形状にしたことを特徴とする履物。【００１０】履物の台部図１の２、中底図１の２、中敷き図１２の１つ以上に、足裏の特定部位の土踏まず図４の７及び図５の７箇所を足形に沿うように図５の９及び図６の９の如く台部図１の２、中底図１の２、中敷き図１２の表部より弧状に１ｍｍから５ｍｍ好ましくは３ｍｍ図５の９及び図６の９の如くゆるやかに隆起させ、かつ特定部位踵の箇所図４の８および図５の８を足形に沿うように履物の台部図１の２、中底図１の２、中敷き図１２の表部から１ｍｍから５ｍｍ好ましくは３ｍｍの図５の１０及び図６の１０のごとく浅く窪んだ形状にした。【００１１】請求項１における履物の台部、中底、中敷きの１つ以上に、履物先端から段差までの空間の台底に履物使用時には段差を形成できる弾性体材料を設けたことを特徴とする履物。【００１２】台部図１の２、中底図１の２、中敷き図１２の１つ以上に、図７の１１及び図８の１１の空間に図９の１２、図１０の１２及び図１１の１２の如く段差を形成できる弾性体材料（スポンジ等の柔らかな素材）を設ける。
【発明の効果】
【００１３】本発明は歩行中、各足指の指節間関節図３の１５から中足指節関節（足指の付け根）図３の１まで十分に屈折運動ができ、かつ屈折運動中指腹も段差面４を確実に掴まえて強く圧することが容易にできる角度をつける。この屈折運動は足床筋を伸び縮みさせて足筋力を強化させ、足床筋とつながった足の筋肉（下肢三頭筋、ハムストリングス、大殿筋）を強化向上する効果がある。また体重移動が容易にできることで歩行がらくになり、あらゆるスポーツの足部基礎筋力が強化される。【００１４】本発明の履物を使用歩行時各足指腹が段差面４を掴まえて強く圧する動作を繰り返す事で足全体が履物の先端に移動して指腹が段差面４を確実に掴まえる位置のずれが生じることを防止するための隆起図５の９及び図６の９および窪み図５の１０及び図６の１０で、かつ足床筋を伸ばす縮める運動が十分出来るゆるやかな高低差図５の９から１０及び図６の９から１０なので足床筋力の強化作用を妨げることはない。【００１５】台部図１の２、中底図１の２、中敷き図１２の１つ以上に、図７の１１及び図８の１１の空間に図９の１２、図１０の１２及び図１１の１２の如く段差を形成できる弾性体材料（スポンジ等の柔らかな素材）を設けたことにより履物の使用時、足床に足指が接触している安心感を心理的に使用者に与える。
【発明を実施するための最良の形態】
【００１６】閉鎖形式（閉塞性）図９履物（靴、各種すべてのスポーツ靴、スニーカー、ウォーキングシューズ、長靴、地下足袋）の各足指の指節間関節図１の１５及び図３の１５から中足指節関節（足指の付け根）図１の１及び図３の１の間に履物の台部図１の２、中底図１の２、１つ以上に、かつ中敷き図１２にあっては、切断して削除する位置図１２の１３を図２の５の段差を各足指付け根図４の６の如く足指に沿って１５ｍｍ以上の高さ（標準は１８ｍｍ但し転倒防止のため好ましい上限は２５ｍｍ）と段差面４を垂直から任意の角度１度から９０度好ましくは７５度から８５度を設け（９１度以上は足指が屈折しにくいので効果がない）さらに段差上部図２の３及び図３の３を面取りすることで外皮部分図１の１４が図９の如く台部図１の２、中底図１の２、が高い造りのデザインとなり、かつ形状の材料は通常使用品の堅めがよい。【００１７】開放性履物図１０（下駄、スリッパ、サンダル、草履、雪駄、つっかけ）の各足指の各足指の指節間関節図１の１５及び図３の１５から中足指節関節（足指の付け根）図３の１の間に履物の台部図１の２図２の５の段差を各足指付け根図４の６の如く足指に沿って１５ｍｍ以上の高さ（標準は１８ｍｍ但し転倒防止のため好ましい上限は２５ｍｍ）と段差面４を垂直から任意の角度１度から９０度好ましくは７５度から８５度を設け、更に段差上部図２の３を面取りすることで台部図１の２が図７、図８及び図１０の如く２段となる造り及びまたはデザインとなり、かつ形状の材料は通常品でよい。【００１８】閉鎖形式（閉塞性）図９履物及び又は開放性履物図１０の台部図１の２、中底図１の２、中敷き図１２の１つ以上に、足裏の特定部位の土踏まず図４の７及び図５の７箇所を足形にあわせて図５の９及び図６の９の如く台部図１の２、中底図１の２、中敷き図１２の表部より弧状に隆起図５の９及び図６の９させ、かつ特定部位踵の箇所図４の８および図５の８を足形にあわせて履物の台部図１の２、中底図１の２、中敷き図１２の表部から図５の１０及び図６の１０のごとく窪めた形状になり、この高低差図５の９から１０及び図６の９から１０は開放性履物図１０のデザインを立体化する。【００１９】閉鎖形式（閉塞性）図９履物及び又は開放性履物図１０の台部図１の２、中底図１の２、中敷き図１２の１つ以上に、図７の１１及び図８の１１の空間に図９の１２図１０の１２及び図１１の１２の如く段差を形成できる弾性体材料（スポンジ等の柔らかな素材）を設けたことにより履物の使用時、足床に足指が接触している安心感を心理的に使用者に与え、且つ、開放性履物図１０図９の１２および図１０の１２の弾性体材料表面にいろんなデザインペインテングができる。【００２０】足の形は人によって、それぞれの形があり発明の閉鎖形式（閉塞性）図９履物及び又は開放性履物図１０の段差位置図１の３及び４も多様なので標準型以外にオーダーメイドの製作部材を閉鎖形式（閉塞性）図９の履物中敷き図１２用として材料及び専用カッターを用意して、足指に沿って自在定規を図４の６の箇所に挟んで型取りして、且つ専用カッターで図１２の１３の箇所を切り落として使用する。また閉鎖形式（閉塞性）履物図９及び又は開放性履物図１０の段差形状は足指に沿って自在定規を図４の６の箇所に挟んで型取りをして製作することにより使用者に合った足筋力強化の履物ができる。
【実施例】
【００２１】従来のスニーカーに１５ｍｍの段差がある堅めのゴムで出来た中敷きを入れて腰痛のある人が履けば重心移動が容易に行われるので腰に負担がかからない。【００２２】立ち仕事の場合、１８ｍｍの段差のある中敷きを試したところ重心移動は良かったが足の筋肉（下肢三頭筋、ハムストリングス、大殿筋）が急によく使われたので足全体がつかれた。【００２３】スリッパに１５ｍｍ段差を設けた場合足のふくらはぎの部分が引き締まる効果を得た。【００２４】ウォーキングの場合スニーカーに１５ｍｍの段差のある中敷きを入れて歩くと足が前へ前へ行くような効果を得た。また車を運転中指先に抵抗がないので快適である。
【産業上の利用可能性】
【図面の簡単な説明】
【００２５】
【図１】全体図
【図２】段差形状図
【図３】段差での足指屈折図
【図４】足裏図
【図５】履物台部、中底に足を乗せた状態図
【図６】履物台部、中底上面図
【図７】履物台部、中底弾性体材料未使用正面図
【図８】履物台部、中底弾性体材料未使用上面図
【図９】閉鎖形式（閉塞性）履物靴例図
【図１０】開放性履物下駄履物例図
【図１１】履物台部、中底弾性体材料使用上面図
【図１２】閉鎖形式（閉塞性）履物の中敷き図
【符号の説明】
１中足指節関節（指の付け根）
２台部、中底
３段差上部
４段差面
５段差高さの範囲
６足裏図
７足裏土踏まず
８足裏踵
９台部、中底の土踏まず箇所
１０台部、中底の踵箇所
１１台部、中底の空間箇所
１２弾性体材料
１３中敷き
１４外皮
１５指節関節
【図１】
2007061563.tif 000003
【図２】
2007061563.tif 000004
【図３】
2007061563.tif 000005
【図４】
2007061563.tif 000006
【図５】
2007061563.tif 000007
【図６】
2007061563.tif 000008
【図７】
2007061563.tif 000009
【図８】
2007061563.tif 000010
【図９】
2007061563.tif 000011
【図１０】
2007061563.tif 000012
【図１１】
2007061563.tif 000013
【図１２】
2007061563.tif 000014